(57)【要約】  給水遮断弁は、クイックコネクタに流体結合された給水導管に流体装置を連結するように、外部流体動作装置または導管の端部形状を解放可能に係止するリテーナを担持する流体クイックコネクタ内に取り付けられている。遮断弁は、カートリッジ内の端部形状の完全密封挿入に応じて、流体流位置の間でカートリッジ内に移動可能に取り付けられている。この位置では、カートリッジの出口は、カートリッジを囲むハウジング内の孔に流体結合されており、給水導管に一端部で連結されている。カートリッジは、カートリッジ内の出口が最大流体流、中間流体流、および流体流遮断位置の間で、ハウジング内の孔に対して移動可能であるように、ハウジング内に回転可能に取り付けられている。
2008506904.tif 000002
【特許請求の範囲】
【請求項１】
スタッドフレーム内の給水導管に連結可能な流体供給装置であって、
第１の端部と第２の端部との間に延びている貫通孔を有し、前記貫通孔の前記第１の端部が前記給水導管に流体結合されるようになされたハウジングと、
該ハウジングの前記第２の端部を通して前記貫通孔内に取り付けられると共に、一端部から延びている孔を有するカートリッジと、
該カートリッジ内の前記孔に流体結合され、前記ハウジングの前記第１の端部と流体連通可能である前記カートリッジ内の出口と、
前記ハウジング内に前記カートリッジを軸方向に保持する手段と、
端部形状を前記カートリッジに解放可能に係止するように、前記カートリッジに担持されたリテーナ手段とを備えることを特徴とする流体供給装置。
【請求項２】
前記ハウジングおよび前記カートリッジを密封結合するように、前記ハウジングおよび前記カートリッジに担持されたシール手段をさらに備えることを特徴とする請求項１に記載の流体供給装置。
【請求項３】
前記シール手段は、さらに、前記ハウジングと前記カートリッジとの間に配置された少なくとも１つのシールを備えることを特徴とする請求項２に記載の流体供給装置。
【請求項４】
前記シール手段は、前記カートリッジ上の凹部内に取り付けられたシールを備えることを特徴とする請求項２に記載の流体供給装置。
【請求項５】
前記シール手段は、前記カートリッジの前記出口の周りに取り付けられたシールを備えることを特徴とする請求項２に記載の流体供給装置。
【請求項６】
前記シール手段は、さらに、前記カートリッジ内に前記端部形状を密封するようになされた、前記カートリッジ内部に取り付けられた少なくとも１つのシールを備えることを特徴とする請求項２に記載の流体供給装置。
【請求項７】
前記シール手段は、前記カートリッジで二重ショットされた一個構成のシール部材を備えることを特徴とする請求項２に記載の流体供給装置。
【請求項８】
前記シール手段は、前記ハウジングおよび前記カートリッジの少なくとも２つ、端部形状および前記カートリッジ、および前記カートリッジの出口を前記ハウジングに流体密封する一個構成、一体型のシール手段を備えることを特徴とする請求項７に記載の流体供給装置。
【請求項９】
さらに、スタッドフレームに前記ハウジングを取り付けるように、前記ハウジングに担持された取付手段を備えることを特徴とする請求項１に記載の流体供給装置。
【請求項１０】
前記取付手段は、前記ハウジングから突起する少なくとも１つのリブと、締め付け具を受けるように前記リブ内に形成された開口部とを備えることを特徴とする請求項９に記載の流体供給装置。
【請求項１１】
前記取付手段は、さらに、前記リブから突出するアームを備え、該アームは、前記スタッドフレームに取り付けられた壁部表面の内表面との前記アームの端部の係合により、前記ハウジングの一端部を前記壁部表面に対して所定の距離だけ間隔を置いて配置するような長さを有することを特徴とする請求項１０に記載の流体供給装置。
【請求項１２】
さらに、前記スタッドフレームに取り付けられる壁部表面から所定の距離だけ離して前記カートリッジの一端部を配置するように、前記ハウジングに担持されたロケータ手段を備えることを特徴とする請求項９に記載の流体供給装置。
【請求項１３】
前記リテーナ手段は、前記一端部に隣接して前記カートリッジ内に形成された横開口と、
前記開口内に取り付け可能な横移動可能なリテーナであって、端部形状の相手表面に係合する端部形状係合手段を含んで前記端部形状を前記カートリッジ内に解放可能に係止するリテーナとを備えることを特徴とする請求項１に記載の流体供給装置。
【請求項１４】
前記リテーナ手段は、前記端部形状の大きなビードと係合するようになされた１対の角度方向内側に延びる可撓性アームを有する本体を備え、前記可撓性アームは、前記カートリッジの一端部を通して軸方向に取り付け可能な環状リングに担持されることを特徴とする請求項１に記載の流体供給装置。
【請求項１５】
前記カートリッジを前記ハウジング内に軸方向に保持する手段は、前記ハウジングに形成された外部ねじと係合可能なねじナットを備え、該ナットの一部が、前記ハウジング内に前記カートリッジを軸方向に捕捉するために前記ハウジング内の前記孔の前記第２の端部を覆う径方向内側に突出していることを特徴とする請求項１に記載の流体供給装置。
【請求項１６】
さらに、前記ナットに取り付け可能であるトリムプレートを備えることを特徴とする請求項１５に記載の流体供給装置。
【請求項１７】
さらに、前記ハウジング内に回転可能に取り付けられた前記カートリッジを備えることを特徴とする請求項１に記載の流体供給装置。
【請求項１８】
前記ハウジング内の前記貫通孔の前記第１の端部に対して最大流体流位置にある前記カートリッジ内の出口を、前記ハウジングから前記カートリッジへの全ての流体流を遮断するように前記出口が前記ハウジング内の前記貫通孔に対して閉じられた位置と、前記カートリッジを通して流体の中間流量を提供するように前記出口の最大断面積の一部だけが前記ハウジング内の前記貫通孔に流体結合された少なくとも１つの中間位置とにするように、前記ハウジングに対して回転可能な前記カートリッジをさらに備えることを特徴とする請求項１７に記載の流体供給装置。
【請求項１９】
前記カートリッジを前記ハウジング内に軸方向に保持する手段は、前記ハウジングに形成された外部ねじと係合可能なねじナットを備え、該ナットの一部が、前記ハウジング内に前記カートリッジを軸方向に捕捉するために前記ハウジング内の前記孔の前記第２の端部を覆う径方向内側に突出していることを特徴とする請求項１７に記載の流体供給装置。
【請求項２０】
さらに、前記ナットに取り付け可能なトリムプレートを備えることを特徴とする請求項１９に記載の流体供給装置。
【発明の詳細な説明】
【技術分野】
【０００１】
本発明は、流量調整を有するクイックコネクトを備えた給水遮断弁、典型的にはスタッド壁面フレーム内の、給水導管に連結可能な流体供給装置に関する。
【背景技術】
【０００２】
配管業界では、水路は普通、銅パイプで形成されている。パイプ部と可撓性導管、蛇口などへの外部連結との間の継手は、はんだを用いて作製されている。
ビル又は家の大まかな枠組みを作る際、パイプは壁面および／または床面または天井内に取り付けられ、壁面内の開口部を通して延びる長さの短いパイプである「スタブアウト」で終端する。ビルまたは家の固定具にスタブアウトを連結する前に、圧力試験が必要である。圧力計は、スタブアウトの１つにはんだで取り付けられる。残りのスタブアウトは全て、やはり各スタブアウト上にはんだ付けされたキャップによって閉じられる。システムはその後、あらゆる漏洩を検出するように加圧される。
【０００３】
圧力試験が完了した後、キャップおよび圧力計がスタブアウトから取り除かれ、配管固定具が取り付けられる。一般に、遮断弁はスタブアウトの多くにはんだ付けされ、可撓性ホースとして形成することができる外部導管が、はんだまたは締め付け可能な圧縮金具によってその遮断弁に取り付けられる。
一般的なビルまたは家配管設置から明らかなように、キャップおよび圧力計をスタブアウトの全てにはんだ付けして条例で必要とされる圧力試験を行い、その後ビル配管固定具への接続のためにスタブアウトに遮断弁をはんだ付けする前にキャップおよび圧力計のはんだを取り除く際には、かなりの時間が必要である。その結果、配管業界は、ビルおよび家庭給水システムのサービスおよびフックアップ用の容易な接続部に移行するようにますます切迫した状況にある。このような容易な接続部は、最後の遮断弁への連結の前に、条例で必要とされる密封システム圧力試験、およびスタブアウトの周りの一般的な乾式壁面を考慮しなければならない。
【発明の開示】
【発明が解決しようとする課題】
【０００４】
したがって、クイックコネクト機能を有する給水遮断弁を提供することが望ましいだろう。また、水運搬調整機能も提供するクイックコネクト機能を有する給水遮断弁を提供することが望ましいだろう。また、外部配管固定具端部形状または連結がクイックコネクタに適切に挿入されない、またはクイックコネクタから外れた場合、クイックコネクトコネクタが一体化安全遮断部を有するクイックコネクト機能を備えた給水遮断弁を提供することが望ましいだろう。
【課題を解決するための手段】
【０００５】
本発明は、典型的にはスタッド壁面フレーム内の、給水導管に連結可能な流体供給装置である。
この装置は、第１の端部と第２の端部の間に延びる貫通孔を有するハウジングを備えている。ハウジングの第１の端部は、給水導管に流体結合されるようになされている。カートリッジは、ハウジングの第２の端部を通して貫通孔内に取り付けられている。カートリッジは、一端部から延びる孔を有する。出口は、カートリッジ内に形成され、カートリッジ内の孔に流体結合されている。ハウジング内にカートリッジを軸方向に保持し、ハウジングに対するカートリッジの回転を可能にする手段が提供される。リテーナ手段は、カートリッジに端部形状を解放可能に係止するようにカートリッジに担持されている。
【０００６】
ハウジングおよびカートリッジを密封可能に結合し、端部形状をカートリッジに結合するように、シールがハウジングおよびカートリッジに設けられている。一態様では、シールの全ては、ハウジングとカートリッジの間、カートリッジと端部形状の間、およびカートリッジと遮断弁の閉位置の間に異なるシール部を含む単一の一体シールとして形成されている。
別の態様では、カートリッジはハウジング内に回転可能に捕捉され、それによってカートリッジ内の出口は給水導管からハウジングおよびカートリッジを通したカートリッジのもう一方の端部に結合された端部形状までの完全な流体流を確立する開位置と、カートリッジとハウジングの間の全ての流体流を遮断する閉位置と、ハウジングおよびカートリッジを通した流体流量を調整するように完全開位置と完全閉または遮断位置の間の調整可能な部分流体流位置との間で、給水導管に流体結合されたハウジング内の孔に対して移動可能である。
【０００７】
別の態様では、取付手段またはガイドは、スタッドフレームへのハウジングの取付けを簡単にするように、ハウジングに担持されている。ロケータ手段は、スタッドフレームにハウジングを位置決めし、それによってハウジングおよび／またはカートリッジの外端部がスタッドフレーム上に取り付け可能な壁面の外表面から選択された距離だけ突出するように、取付ガイドの１つからなどのハウジングに担持されている。
さらに別の態様では、これらはハウジング壁面内にカートリッジを軸方向に捕捉して、ハウジング内でのカートリッジの回転を可能にするように設けられている。この態様では、捕捉手段は、ハウジングの一端部に形成されたねじとねじ係合可能なトリムナットを備えている。トリムプレートは、ナットおよびハウジングの露出端部を覆うようにナットに取り付けることができる。
【０００８】
本発明による流量調整を有するクイックコネクトを備えた給水遮断弁は独自に、ビル配管、および外部導管、遮断弁、圧力計に対して迅速な連結機能を提供する。シールキャップは、カートリッジの端部に簡単且つ交換可能に取り付けることができ、修理、ビル配管固定具の取付けなどのためにちょうど簡単に取り外すことができる。この迅速な連結はまた、外部配管固定具端部形状または連結がクイックコネクタに適切に挿入されない、またはクイックコネクタから外れた場合に、一体化安全遮断を可能にする。
【発明を実施するための最良の形態】
【０００９】
本発明の様々な特徴、利点および他の使用は、以下の詳細な説明および図面を参照することによってより明らかになるだろう。
次に図面の図１乃至図１０を参照すると、ビルまたは家給水導管１３に連結可能な遮断または停止弁を備えたクイックコネクタ装置１１が示されている。クイックコネクタ装置１１は、外部圧力計、水運搬導管などの外部流体使用または流体動作装置へのクイックコネクト取付けを行う。
【００１０】
さらに、管状部材を連結するための流体クイックコネクタ装置１１の使用の以下の説明は、導管、ホース、および／または中実金属またはプラスチック管の互いへの流体流連通での連結に当てはまると理解されるだろう。クイックコネクタ装置１１の一端部の内部に挿入された導管または管状部材の端部は、端部形状として本明細書では規定されている。端部形状は、一端部で別個のホースまたは導管を受ける別個の部材、または細長い金属またはプラスチック管の端部に一体形成された形状である可能性がある。さらに、端部形状は、ポンプ、フィルタなどの流体使用装置上に一体形成する、または細長い導管の一部としてではなく、この流体使用装置に別個の要素として取り付けることができる。
【００１１】
普通、クイックコネクタ装置１１は、ビル給水導管または管１３に連結可能であるハウジング１２と、ハウジング１２内に取り付け可能であり、圧力計、外部流体運搬導管などの外部流体運搬または流体動作装置の端部形状１８をカートリッジ１４に解放可能に係止するリテーナ１６を担持するカートリッジ１４とを備えている。
カートリッジ１４は、第１の端部２４および反対側の第２の端部２６を有するハウジング２０を備えている。図１の例に示すように、ハウジング２０は第１の端部２４と第２の端部２６の間にほぼ円筒形の直線形状を有する。
【００１２】
図４および図５に詳細に示すように、ハウジング２０の第１の端部２４は、１対の対向する外部平面４０、４２でできている。平面４０、４２は、第１の端部２４に全く反対に対向しており、第１の端部２４の各反対側で中心に位置決めすることができる。平面４０、４２の一方側に対するハウジング２０の隣接表面は、第１の平面４３および第２の平面４４などの対向する１対の係止表面または平面を形成する。第２の対の平面４５、４６は、ハウジング２０上、または平面４０、４２のもう一方側に形成されている。平面４３、４４は、ハウジング２０の第１の端部２４から短い距離だけ軸方向延びている。平面４３、４４と平面４５、４６の間のハウジング２０の第１の端部２４の対向する表面４８、５０は、図４および５に示すようにほぼアーチ形状をしている。開口部４９、５１は、それぞれ表面４８、５０に形成されている。開口部４９、５１は、ハウジング２０内の貫通孔と連通するように配置されたハウジング２０の第１の端部２４を通して延びる横孔を形成するように、位置合わせされている。
【００１３】
リテーナ１６は、例えばポリケトンなどの適切なプラスチックの一個構成の本体で形成されており、単に例として、ほぼ湾曲またはアーチ形状で形成された端壁面６２と、間隔を置いて配置された第１および第２の側脚部６４、６６とを有する。側脚部６４、６６は、端壁面６２の対向端部から互いにほぼ平行に延びている。さらに、各側脚部６４、６６は外側端部７２を有するが、アーチ状部材によって下側部分で側脚部６４、６６を連結させることも可能である。
【００１４】
１対の突起７０は、それぞれ側脚部６４と６６の対向する側縁部の間でリテーナ１６の長さに沿って延びている。突起７０は、各脚部６４、６６の外側端部７２に隣接して配置されている。突起７０は、リテーナ１６を図４に示す出荷位置、または図５に示す完全挿入係止位置に位置決めするように、ハウジング２０上の表面に係合する。さらに、１対の外側に延びる係止タブまたは縁部７４は、各側脚部６４、６６上の端壁面６２に隣接して形成されている。
【００１５】
図３乃至図５に示すように、リテーナ１６の脚部６４、６６上の突起７０は、先端５６で終端する角付けされたフック状形状で形成されている。先端５６は、対応する脚部６４、６６に対して鋭角に、上を向いた角度で配置される。
溝４０’、４２’は、それぞれ平面４０、４２の内部に形成され、リテーナ１６の各脚部６４、６６上の突起７０の先端５６の形状に相補的な形状をしている一端部に凹部または切欠き５８を備えている。このように、ハウジング２０からのリテーナ１６の引き出しは、図４のリテーナ１６の部分挿入出荷位置で示すように、ハウジング１２内の溝４０’、４２’内の切欠き５８内に着座するリテーナ１６の脚部６４、６６上の連結先端５６によって抵抗される。平面または係止縁部４４、４６は、リテーナ１６の脚部６４、６６上の先端５６の鋭角に相補的な角度で配置されている。これにより、平面４４、４６との先端５６の連結を可能にし、図５に示す完全係止位置からハウジング２０からのリテーナ１６の引き出しに抵抗する。
【００１６】
リテーナ１６の脚部６４、６６上のフック形状先端５６はまた、ハウジング２０内の溝４０’、４２’と合わせて、ハウジング２０内のリテーナ１６の別個の「なだれ効果」スナップ動作を提供する。ハウジング２０内の溝４０’、４２’は、ほぼ平らな平面内に形成されている。内表面は、リテーナ１６がハウジング２０に挿入されると、脚部６４、６６の端部７２を互いに向かって横方向内側に押す。先端５６が溝４０’、４２’の一端部を除去すると、脚部６４、６６の弾力性質は、ユーザに別個の触覚フィードバックを提供する「なだれ効果」を作り出すように、端部７２および先端５６を横方向外側にスナップ嵌めして、リテーナが図４に示す一部挿入位置、または図５に示す完全挿入位置の何れかでハウジング２０にロック係合したことを示している。
【００１７】
図５に示す完全挿入位置への図４の部分挿入位置からリテーナ１６を移動させる、リテーナ１６上の別の挿入力により、脚部６４、６６の端部７２は、脚部６４、６６の先端５６が内表面の下側部分に沿って摺動すると、横方向内側に再度押されることに留意されたい。先端５６が内表面の外端部を除去すると、脚部６４、６６は別個の「なだれ効果」の方法で横方向外側に跳ねる。溝４０’、４２’の下端部は、先端５６が溝４０’、４２’から完全係止位置に向かって摺動することができるように角度付けされている。
【００１８】
リテーナ１６は最初、図４に示す出荷または保管位置でハウジング２０内に設置することができる。この位置では、リテーナ１６の側脚部６４、６６上の突起７０は、長手方向に延びる溝４０’、４２’にスナップ嵌めし、これと係合する。
さらに、ハウジング２０内の位置合わせされた開口部４９、５１を通したリテーナ１６の挿入により、脚部６４、６６の端部７２は先端５６が表面の端部を除去し、その後図５に示すようにハウジング２０の第１の端部２４の外表面の外側にスナップ嵌めするまで、平面４０、４２の内表面の下側部分に沿って通過される。ハウジング２０内の端部形状１４のこのような完全挿入位置では、端部形状１８上の環状係止表面凹部１９は、リテーナ１６のアーム８２、８４の前に配置されている。この位置は、端部形状１４がコネクタハウジング２０に完全に着座し、ロック係合される完全係止位置を示す。ハウジング２０内へのリテーナ１６の完全挿入はまた、端部形状１４およびハウジング２０の完全係止連結の可視表示を行う。
【００１９】
本発明のこの態様では、リテーナ１６は、アーム８２と８４の間に径方向内側に延びるアーチ状突起８３の形の端部形状係止部材を備えている。突起８３は、円滑湾曲半球形状断面、四角に区切られた多角形断面などのいくつかの異なる断面の何れか１つを有していてもよい。さらに、突起８３はリテーナ１０のアーム８２、８４の内表面の所定の角度範囲にわたって連続している、または複数の別個の非連続周面位置合わせ部分でできていてもよい。
【００２０】
アーム８２、８４は、例示した図では突起８３の軸方向長さより長い軸方向長さを有する。別の方法では、アーム８２、８４および突起８３は、外側脚部６４、６６から間隔を置いて配置された外表面を備えた単一のアーチ状突起内に組み合わせることができる。さらに、突起８３およびアーム８２、８４は、脚部６４、６６と一体化して組み合わせることができる。
しかし、突起８３の断面と、径方向高さは端部形状１８内の環状凹部１９の断面および径方向深さと相補的であることが理解されるだろう。これにより、リテーナ１６が完全係止位置に移動された場合に、ハウジング２０内に端部形状１８を係止するように、凹部１９内に突起８３が解放可能に連結される。
【００２１】
また、リテーナ１６が図１および図５に示す完全係止位置にある場合、ハウジング２０内に端部形状１８を挿入する前に、突起８３の径方向内側範囲は、ハウジング２０内の端部形状１８の完全挿入を妨げることも明らかであろう。同様に、端部形状１８は、図１に示すように、突起８３が端部形状１８内の凹部１９と軸方向位置合わせし、これと係合して、リテーナ１６を図１および５に示す完全係止位置に移動させることができるように、ハウジング２０内の孔に完全に挿入しなければならない。端部形状１８の先端部１７が、図２に示すハウジング２０内の孔内の完全挿入位置から間隔を置いて配置されている場合、リテーナ１６上の突起８３は端部形状１８内の凹部１９と位置合わせされず、それによってリテーナ１６は完全係止位置に横方向に移動することができない。このようなことが起こると、リテーナ１６の中心脚部６２の外縁部は、非完全挿入端部形状１４の表示を行うように、ハウジング２０から外側に延びる。リテーナ１６の構成および動作のさらなる詳細は、米国特許第６，６３７，７７９号を参照することによって分かることができ、その内容を本明細書に参照として援用する。
【００２２】
クイックコネクタハウジングへ端部形状を解放可能に係止するため端部形状内の凹部と解放可能に係合するように構成されたリテーナの上記説明は、単に例示するためだけのものであることが理解されるだろう。米国特許第５，５４２，７１６号、第５，７８２，５０２号、第５，９５１，０６３号、及び第５，７８２，５０２号に記載された持ち上げられたビードを有する端部形状と係合する横方向に取り付けられたリテーナなどの、他のリテーナおよび端部形状係止構造はまた、本発明のクイックコネクタ１１で利用することができる。
【００２３】
加えて、米国特許第６，４０２，２０４号に示し、また図１０およびこれ以下に説明するように、持ち上げられたＳＡＥフランジ付きまたはビード付き端部形状で普通は利用される、軸方向に取り付けられたリテーナおよびクイックコネクタハウジング構造は、本発明のクイックコネクタ１１内で利用することもできる。
カートリッジ１４のハウジング２０は、第１の端部２４から出口１０２まで延びる、全体を参照番号１００で示した貫通孔を備えている。出口１０２は、ハウジング２０の第２の端部２６に隣接して配置されている。孔１００は、段付きまたは多直径構造を有する。例えば、孔１００は、ハウジング２０の第１の端部２４から延びる第１の最も大きい直径孔部１０４と、隣接した同軸の第２の小さい直径孔部１０６と、第３の同軸のさらに小さい直径孔部１０８とを含む。
【００２４】
第１の直径孔部１０４は、端部形状１０８の先端部１７を受ける開口を提供し、端部形状１８上に形成され、先端部１７から間隔を置いて配置された大きな直径のフランジまたはビード１１０の持ち上げに対応する。
同軸の隣接した第２の孔部１０６は、第１のシールまたはＯリング１１４と、円筒形スリーブ１１６と、その間に介在された剛性スペーサ１２０を有する１つまたは複数の第２のシール部材１１８と、第２の孔部１０６と第３の孔部１０８の間に形成されたショルダと第１のシール１１４の間に介在されたＯリングなどの第３の端部シール１２６と、第２の孔部１０６内に上部ハット１２２を係止するように第２の孔部１０６内の環状凹部１２４にスナップ嵌めする持ち上げられた突起を有する上部ハット１２２とを収納し、それによって上部ハット１２２はシール部材１１８、１２６、スペーサ１２０、スリーブ１１６、および第２の孔部１０６内の第１のシール１１４を保持するように機能することができる。
【００２５】
位置決め先端２２０は、以下に説明するように、周囲のハウジング１２内のカートリッジ１４のハウジング２０を心合わせおよび回転可能に支持するように、ハウジング２０の第２の端部２６上に形成されている。
出口１０２は単に例として、ハウジング２０内の孔１００の長手軸からほぼ９０度の角度で横方向に配置されている。図１および図２に示すように、出口１０２はハウジング２０の第２の端部２６に極めて隣接しているが、間隔を置いて配置されている。出口１０２は、出口１０２をハウジング１２の隣接表面に密封するように、Ｏリング２２４などの第４のシールを受けるより大きな直径の凹部２２２まで開口している。
【００２６】
図２、図６および図７からよく分かるように、カートリッジ１４は孔１００内に配置された逆止めまたは遮断弁８９を備えている。弁８９は、半球状のシート部９０、細長いステム部９１、および径方向に延びるガイド部９２を含むほぼカップ形状の弁部材９０を備えている。弁８９は、孔１００内に同心状に配置されており、シート部９０は出口１０２に面した、くぼんだ凹部が中に形成されている。シートおよびステム部、およびガイド部９０、９１、９２はそれぞれ、射出成形プラスチックなどの適切な材料で一体形成されている。シート部９０の外周表面は、流体貫通孔１００を選択的に開く、またはその流れをチェックするように、孔部１０６内のＯリングなどの固定された弾力性のある環状シール１１４と密封係合する湾曲環状シート９３を画定する。
【００２７】
螺旋状ばねは、その開口（図示）位置からその閉位置に向かって弁８９を偏倚させる。ガイド部９２は、弁８９をその開位置まで変位させるように端部形状１８の先端部に当接するように構成された、左側に面している当接表面９４を画定するほぼ魚尾構造を形成する。普通、ガイド部９２の平行な横方向に対向した表面９５、９１は、端部形状１８の開口端部を通した流体流用の間隙を提供する。当接表面９４の丸みを帯びた輪郭により、当接表面９４と端部形状１８の先端縁部１７の間の正確な係合を行って、その直線軸方向変位を保証するように、旋回または振動自由度を提供する。
【００２８】
高強度、軽量、および最小断面積（耐流れ性）に対してこのように構成されているので、弁８９は、シート９０が孔１００を通る連通を全体的に遮断するようにシール１１４に接触する図７に示す第１または閉位置から、弁８９が孔１００を通る開口連通を確立するように左側に変位される図１に示す第２の位置まで変位可能である。弁９０は、一般的な方法で孔１００内への端部形状１８の先端部１７の完全挿入、および端部形状１８とのリテーナ１６の連結に応じて、第１の位置から第２の位置まで変位される。いったん係合すると、端部形状１８の先端部１７は、弁８９をその開口位置まで変位させるようにガイド部に接触する。
【００２９】
図２および図７からよく分かるように、周方向に間隔を置いて配置され、軸方向に長く、径方向内側を向いている複数のガイドリブ９８が、孔部１０８の内径上に形成され、弁部材８９のシート部９０を径方向に案内するように働いて、比較的自由な軸方向変位が可能になる。
応用例では、端部形状１８およびリテーナ１６が図１に示すように完全に係合している場合、弁８９は孔１００を通した流体の自由で比較的制約されない流れを提供するように、開位置に保持されている。
【００３０】
図１および図２に示すように、ハウジング１２は例として示す単一本体部２４０を備えた、１つまたは複数の部分でできた単一構造をしている。本体２４０は、金属またはプラスチックなどの適切な材料でできていてもよい。
また、単に例として、本体２４０は第１の部分２４２、および角度を付けて延びている第２の部分２４４で形成された、ほぼ肘またはＬ字形状をしている。
第１の部分２４２は、給水管１３の一端部を受けるような寸法をしている内部孔またはシート２４８を備えた大きな直径の端部つば２４６を有する。給水管１３は、銅または金属給水管１３の場合ははんだにより、ＰＶＣ給水管などのプラスチックの場合は接着によりシート２４８内に密封固定されている。
【００３１】
孔またはシート２４８は、第２の本体部２４４内の孔２５２に開口する貫通孔２５０と流体連通している。第２の孔２５２は、カートリッジ１４を受けるような寸法をしている。図１および図２に示すように、貫通孔２５０の一端部は、上に説明するようにカートリッジ１４内の排出出口１０２に開口している。
第２の孔２５０は単に例として対向端部間にほぼ一定の直径を有することができるが、第２の孔２５０はカートリッジ１４の第２の端部２６を受けるような寸法をしている第１の直径孔部２５４を有する。第１の孔部２５４は、より大きな直径の第２の部分２５６に開口している。第２の孔部２５６は、ハウジング１２の本体２４０の第２の端部２６０でより大きな直径の環状凹部２５８まで延びている。
【００３２】
上に記したように、カートリッジ１４の本体２０の第２の端部２６に隣接して凹部２２２内に配置された第４のシール２２４は、カートリッジ１４の出口１０２をハウジング１２の本体２４０内の貫通孔２５０の一端部に密封する。別のシール２６２がカートリッジ１４の本体２０内の凹部２６４内に着座して、本体２０をハウジング１２の第２の孔部２５６に密封する。
本体２４０の第２の端部２６０での環状凹部２５８は、カートリッジ１４の本体２０上に形成された環状心合わせ突起２６５を受ける。
【００３３】
このように、また位置決め先端２２０と合わせて、カートリッジ１４はハウジング１２内の長手軸周りで回転することが可能である。リテーナ１６を担持する第２の端部２４は、図１に示す第１の最大開口流れ位置、図８に示す完全閉塞流体流遮断位置、および図９に絵画的に示すいくつかの可変選択可能部分流れ位置の何れかの間で、カートリッジ１４の回転を簡単にするように、把持表面として利用することができる。シール２６２、２２４は、ハウジング１２内の選択した角度または回転位置でカートリッジ１４を維持する摩擦を提供することができる。加えて、図示しないが、カートリッジ１４の本体２０から外側に延びるピンまたは突起の形の戻り止めは、ハウジング１２の孔１００内の止め具または部分環状溝と係合することができ、それによって図１に示す完全流体流開位置、図８に示す完全流体流遮断位置、または図９に例として示す選択中間流位置での戻り止めまたは止め位置を画定することができる。
【００３４】
図１に示すように、クイックコネクタ装置１１はまた、ガイド２５０、２５２の形の取付手段を備えている。少なくとも１つのガイド２５０または２５２は、図１に示す方向に装置１１を壁面スタッドまたは他の支持表面に取り付けるのに使用することができる。
取付手段２５０、２５２は、ハウジング１２の本体２４０の間隔を置いて配置された部分に沿って延びるおよび／または本体２４０の一部から外側に突出する、薄いリブ２５４、２５６の形をしている。各取付手段２５４、２５６は、装置１１を壁面スタッドに固定取付けするようにくぎまたはねじなどの締め付け具を受ける開口部を備えている。
【００３５】
本発明の別の独自の機能によると、位置決め手段２６０は、ガイド手段２５０から延びるリブ２６２などにより、ハウジングの本体２４０上に形成されている。リブ２６２は、スタッドの縁部と一列に並ぶようにその長さ内に設けられており、その上で乾式壁面２６４のシートによって形成される壁部表面などの壁部表面が取り付けられる。これにより、カートリッジ１４の第２の端部２４を、普通は配管システムの完成後に加えられる壁部表面２６４の外表面２６６から適切な距離に配置することが可能になる。
【００３６】
薄くした部分２６３は、破断点を形成してリブ２６２の長さを短くするようにリブ２６２上に形成することができ、それによって壁面２６４がタイルを収納するための大きな厚さを有する場合に、カートリッジ１４の端部２４は壁面２６４から適切な距離に保持される。
図１に示すように、カートリッジの第２の端部２４と、ハウジング１２の本体２４０の端部２６０のそこを通る通過が可能になるように、開口部２６８が壁面２６４内に形成されている。また、図１に示すように、カートリッジ収納ナット２７０は、対向する端部の間に延びている中心孔２７２を有する。孔２７２は、カートリッジ１４の第２の端部２４がそこを通ることが可能なような寸法の端部を有する。孔２７２の内表面はまた、上に説明したように、カートリッジ１４の回転を可能にするように、カートリッジ１４の外表面から間隔を置いて配置されている。
【００３７】
孔２７２のもう一方の端部２７４は、ハウジング１２の本体２４０の端部２６０上に形成されたねじと噛み合う複数のねじで形成されている。孔２７２と２７４の２つの端部の間に形成された内側ショルダ２７６は、ハウジング２０内にカートリッジ１４を軸方向に捕捉し、保持するようにカートリッジ１４のハウジング１２上に本体２０上の大きなフランジ２６４を捕捉し、さらにハウジング１２内でのカートリッジ１４の回転を可能にする。最後に、外側トリムプレート２８０は、審美的な外観のために保持ナット２７０の周面部の上に取り付け可能である。トリムプレート２８０は、例えばナット２７０内の溝内のスナップなどの適切な手段によってナット２７０上に解放可能に取り付けることができる。
【００３８】
次に図１０を参照すると、本発明のいくつかの代替態様が示されている。図１０に示すカートリッジ１４’では、少なくとも２つの、好ましくは全てのシール２２４、２６２、１１４および１２０が、例えばカートリッジ１４上、およびカートリッジ１４’の表面上での二重ショット成形工程によって単一の大きなシール手段として一体成形される。シール手段の凹部２９０は、図１に示すカートリッジ１４の態様では、上記シールに対応する部分を備えている。特に、シール手段２９０は、出口シール部２２４’、ハウジングシール２６２’に対するカートリッジ、遮断弁シール１１４’、端部形状シールおよびスペーサ１１８’、１２０’を備えている。シール部２２４’、２６２’、１１４’、１１８’、１２０’の全ては、部分２９２、２９４、２９６を相互連結することによって互いに結合されている。
【００３９】
また、図１０に示すカートリッジ１４’の態様に示すように、リテーナ１６’は、米国特許第６，４０２，２０４号に記載されたものなどの、軸方向に取り付けられたリテーナ１６’の形として示されている。普通、リテーナ１６’は、１対の角度方向および径方向内側に突出する可撓性アーム３０２、３０４がそこから延びる環状端部リング３００を備えている。アーム３０２、３０４の端部は、図１０には示さないが、ビームによって端部リング３００に連結された反対側の環状つば３０６から間隔を置いて配置されている。可撓性アーム３０２、３０４は、端部形状１８’上の持ち上げられたフランジまたはビード１９’の通過を可能にし、その後図１０に示すように持ち上げられたビード１９’の後ろにスナップ嵌めされて、カートリッジ１４内に端部形状１８’を保持する。
【００４０】
要するに、外部流体導管、圧力計などと共に簡単な解放可能および係止可能なスライドを提供するように、ビルのスタッドフレーム内に取り付け、給水導管に連結することができる流量調整機能を有するクイックコネクトを備えた独自の給水遮断弁が開示されている。
【図面の簡単な説明】
【００４１】
【図１】本発明による迅速な連結機能を備えた給水遮断弁の断面図である。
【図２】遮断弁を開流れ位置で示した、図１に示すクイックコネクタの部分拡大図である。
【図３】図１および図２に示すクイックコネクタ内に展開されたリテーナの一態様の斜視図である。
【図４】図１のクイックコネクタ内の予め係止された出荷位置に取り付けられたリテーナの端面図である。
【図５】完全係止位置でリテーナおよびクイックコネクタの端面図である。
【図６】図１に示す遮断弁の側面図である。
【図７】遮断弁を流れ遮断位置に示した、図２と同様の部分長手断面図である。
【図８】図１に示すクイックコネクタのハウジング内のカートリッジの異なる流量調整位置を示す、部分拡大長手断面図である。
【図９】図１に示すクイックコネクタのハウジング内のカートリッジの異なる流量調整位置を示す、部分拡大長手断面図である。
【図１０】本発明によるシール手段およびリテーナの別の態様の長手方向断面図である。
【図１】
2008506904.tif 000003
【図２】
2008506904.tif 000004
【図３】
2008506904.tif 000005
【図４】
2008506904.tif 000006
【図５】
2008506904.tif 000007
【図６】
2008506904.tif 000008
【図７】
2008506904.tif 000009
【図８】
2008506904.tif 000010
【図９】
2008506904.tif 000011
【図１０】
2008506904.tif 000012
【国際調査報告】
2008506904.tif 000013